(57)【要約】【課題】ストレージ装置に記録再生を行う映像表示装置に関して、スピーカから音声を出力しながら、記録動作を行う場合、スピーカからの振動が筐体を通じてストレージ装置に伝搬することで、正常に記録再生を行えない不具合が発生する場合がある。従来の不具合対策では、コストが増加したり、必要以上にスピーカ音量が制御されてしまう恐れがあった。【解決手段】コンテンツなどの情報を、まずバッファ２０に記録し、そのバッファ２０に記録した情報を読み出し、それをストレージ装置４に記録するようにしている。そこで、バッファ２０に記録されている容量（バッファ使用量）を検出し、バッファ使用量が所定の閾値より高くなった場合には、スピーカ１８の音量を低減させることにより、バッファ内に蓄積された情報を確実にストレージ装置４に記録させるようにする。【選択図】図１
2011159359.tif 000002
【特許請求の範囲】
【請求項１】
ストレージ装置に記録再生を行う映像表示装置において、
記録情報をストレージ装置に入力する前に、一旦記録を行うバッファと、
第1のバッファ量として、バッファの使用量を検出し、第1のバッファ量が、あらかじめ定められた第2のバッファ量より低いか判定を行うバッファ使用量検出・判定部と、
前記第1のバッファ量が前記バッファ量を超えているとバッファ量判定手段によって判定された場合、スピーカ出力音声制御部からサウンドコントローラに、ある所定音量値Ｖｔまでスピーカ音量値を低減する指令を出すスピーカ出力音量制御手段と、を具備することを特徴とする映像表示装置。
【発明の詳細な説明】
【技術分野】
【０００１】
本発明は、ストレージ装置に記録再生を行う映像表示装置に関する。
【背景技術】
【０００２】
近年、ストレージ装置に記録再生を行う機能を有する映像表示装置が開発されている。該映像表示装置では、放送波などの番組（コンテンツ）を視聴しながら、同時に裏番組をストレージ装置に記録を行うことが出来る。この場合、スピーカから音声を出力しながらストレージ装置は記録動作を行うこととなる。このときスピーカからの振動が筐体を通じてストレージ装置に伝搬することで、ストレージ装置の記録再生動作に遅延が生じたり、記録再生エラーが起きたりして、正常に記録再生が行えない不具合が発生するという問題があった。
【０００３】
このような課題に対し、特許文献１では、防振部材を介してストレージ装置をケース（筐体）に取り付けることで、スピーカからの振動伝搬を低減する手段が提案されている。また特許文献２では、振動センサを用いて、スピーカの振動に起因する筐体の振動レベルを検出し、その検出された振動レベルが所定値を超えている場合、スピーカの出力音量を低減することで、スピーカからの振動伝搬を低減するスピーカ出力音量制御手段が提案されている。
【先行技術文献】
【特許文献】
【０００４】
【特許文献１】特開２００７−３００２８１号公報
【特許文献２】特開２００７−１５１０１７号公報
【発明の概要】
【発明が解決しようとする課題】
【０００５】
特許文献１では、防振部材を使用することによりストレージ装置への振動伝播を低減している。しかし、スピーカに起因する振動は広い周波数領域に及んでおり、この広い周波数領域を１種類の防振部材でカバーすることは困難である。広い周波数領域での振動伝搬を低減するためには、複数種類の振動部材を組み合わせて使用する必要があり、コスト増加、装置の大型化につながる。
【０００６】
特許文献２では、振動センサにて検出した筐体の振動レベルを基にスピーカ音量を制御する装置が提案されている。実験によって、ストレージ装置が記録再生時に不具合を発生する振動のレベルは、周波数ごとに異なることがわかった。すなわち、ある周波数領域の振動に対しては記録再生時の不具合が起こりにくく（耐振動性が高い）、ある周波数領域の振動に対しては記録再生時の不具合が起こり易い（耐振動性が低い）。一般によく使われる振動センサは、振動の振幅を振動レベルとして検出するものであり、耐振動性が高い周波数と、低い周波数を判別することができない。記録再生時の不具合を低減するためには、耐振動性が低い周波数の振動レベルを、スピーカ音量を制御する閾値とする必要がある。このため、耐振動性が高い周波数の振動においても、スピーカ音量が制御してしまう。このように、必要以上にスピーカ音量が制御されてしまい、視聴者に不快感を与えてしまうという恐れがある。
【０００７】
本発明の目的は、コスト増加、装置大型化を最小限に抑え、かつ視聴者に不快感を与えることのない映像表示装置を提供することにある。
【課題を解決するための手段】
【０００８】
本発明は、上記目的を達成するために、コンテンツなどの情報を、まずバッファに記録し、そのバッファに記録した情報を読み出し、それをストレージ装置に記録するようにしている。このとき、バッファに記録されている容量（バッファ使用量）を検出するようにしている。バッファ使用量が所定の閾値より高くなった場合には、スピーカの音量を低減させることにより、バッファ内に蓄積された情報を確実にストレージ装置に記録させるようにする。
【発明の効果】
【０００９】
上記したように、本発明においては、バッファの使用量を基にスピーカ音量を低減することで、必要以上にスピーカの音量を低減することがない。また、近年では、ストレージ装置に記録再生を行うほとんどの映像表示装置には、バッファが備えてあるため、新たに部品を追加する必要がなく、コストの増加はほとんどない。
【図面の簡単な説明】
【００１０】
【図１】図１は本発明の第１の実施の形態に係る映像表示装置のシステム構成を模式的に示すブロック図である。
【図２】図２は本発明の映像表示装置の正面図である。
【図３】図３は本発明の映像表示装置の断面図である。
【図４】図４は録画のみの場合のバッファ使用状態を示す図である。
【図５】図５は同時録画の場合のバッファ使用状態を示す図である。
【図６】図６はスピーカ出力音量の低減制御とバッファ使用量の関係の例である。
【図７】図７は本発明における不具合防止部の動作を示すフローチャートである。
【発明を実施するための形態】
【００１１】
本発明の記録再生装置の実施例を図１〜図７を用いて説明する。
まず、図２を用いて、本発明の第１の実施の形態に係る映像表示装置１の構成について説明する。図２は映像表示装置１の正面図であり、図３は映像表示装置１の断面図を示す。図２、図３において、１は映像表示装置、２は表示パネル、３は化粧カバー、４はストレージ装置、５は脚部、６はベース、７はシャシ、８はストレージケース、９はバックカバー、１８はスピーカである。
【００１２】
表示パネル２は、その表示面に映像を表示するものであり、例えばＬＣＤ（Liquid Crystal Display）、ＰＤＰ（Plasma  Display  Panel）などである。シャシ７は、表示パネル２の裏面側に取り付けられ、表示パネル２を固定保持している。
【００１３】
化粧カバー３およびバックカバー９は、金属もしくは樹脂からなり、表示パネル２を収容する筐体を構成している。該筐体は、脚部５で保持され、ベース６で支えられている。化粧カバー３の下方には、スピーカ用開口３ａが形成されており、スピーカ用開口３ａの背面側にスピーカ３０が配置されている。
【００１４】
シャシ７の背面側には、ストレージケース８が配置され、ＨＤＤなどのストレージ装置４を収納している。ここで、ストレージ装置４は矢印に示す方向に引き出して着脱可能となっている。なお、表示パネル２、ストレージ装置４、スピーカ９などを駆動制御する電気回路などは、シャシ７の背面側に配置されるが、図２、図３においては省略している。
図１は本実施形態に係わる映像表示装置１のシステム構成を模式的に示したブロック図である。
【００１５】
映像表示装置１のシステムは、放送波（例えば、衛星デジタル放送波、地上デジタル放送波、地上アナログ放送波）を受信するためのチューナー１０と、チューナー１０にて受信した信号を処理する信号処理部１１と、信号処理部１１で処理した映像・音声信号を出力する表示部１６と、受信した映像番組を記録あるいは再生を行う記録再生部１９から構成される。
【００１６】
信号処理部１１は、デマルチプレクサ１２とＭＰＥＧ（MOVING PICTURE EXPERTS GROUP）デコーダ１３と、グラフィックコントローラ１４と、サウンドコントローラ１５と、不具合防止部２２からなる。不具合防止部２２は、バッファ使用量検出・判定部２２、スピーカ音声制御部２４からなる。
【００１７】
また表示部１６は、表示パネル２とスピーカ１８からなり、記録再生部１９は、バッファ２０とストレージ装置４からなる。
【００１８】
まず、チューナー１０にて受信した放送波の番組情報の視聴について説明する。チューナー１０では視聴者によって所望されたチャンネルを選局し、受信する。受信した信号を、復調した後、チャンネルのトランスポートストリーム（ＴＳ）を信号処理部１１のデマルチプレクサ１２に出力する。デマルチプレクサ１２は、チューナー１０から出力されるＴＳから、例えば映像番組の映像・音声データを抽出して、ＭＰＥＧデコーダ１３に出力する。
【００１９】
ＭＰＥＧデコーダ１３は、デマルチプレクサ１２から入力された映像番組の映像・音声データの復号処理を行い、グラフィックコントローラ１４とサウンドコントローラ１５に出力する。グラフィックコントローラ１４とサウンドコントローラ１５はＭＰＥＧデコーダ１３から入力される映像・音声データを、それぞれ表示部１６の表示パネル２とスピーカ１８が出力できる所定のフォーマットに変換して表示部１６に出力する。表示パネル２は映像を表示し、スピーカ１８が音声を出力することで、視聴者は番組情報を視聴することが出来る。
【００２０】
次に、チューナー１０にて受信した放送波の番組情報の記録（録画機能）について説明する。
【００２１】
チューナー１０からＴＳがデマルチプレクサ１２に入力されるまでは、上記視聴機能と同じであるため、説明を省略する。デマルチプレクサ１２はＴＳから必要な記録情報を抽出して、記録再生部１９に出力する。記録再生部１９に入力された記録情報は、バッファ２０に一旦記録され、バッファ２０に記憶された順に読み取り、その記録情報をストレージ装置４に入力され記録する。ここでバッファ２０は半導体メモリなどである。ストレージ装置４の記録動作が一時的に停止した場合にも、デマルチプレクサ１２から出力される記録情報はバッファ２０に記録され、ストレージ装置４が記録動作を再開した際には、その記録されていた情報をストレージ装置４に記録することで、記録情報が欠落することがない。
【００２２】
バッファ使用量検出・判定部２３は、バッファ２０の使用量を検出し、この検出した値により判定を行い、スピーカ出力音声制御部２４の制御を行う。スピーカ出力音声制御部２４は、サウンドコントローラ１５を制御し、スピーカ１８から出力される音声の音量を制御するものである。それぞれの動作の詳細は後述する。
【００２３】
録画機能は、以下の２つの使用例がある。１つは、留守録などの視聴機能を使用しないで録画機能のみの場合（以後「録画のみ」という）であるもう１つは、番組を視聴しながら裏番組を録画するような、視聴機能と録画機能を同時に使用する場合（以後「同時録画」という）である。
【００２４】
初めに、録画のみの場合について、図５を用いて説明する。図５は、録画のみの場合のバッファ使用状態を示す図である。この場合、視聴機能を使用していないため、スピーカ１８から音声が出力されていない。よって、スピーカ１８の振動が筐体を通じてストレージ装置２１に伝播することがないため、スピーカ１８の振動に起因する記録不具合は起きない。このとき、バッファ２０に記録できる記録情報量の最大値を、最大バッファ容量（Ｂｂ）とする。
【００２５】
記録が開始されると（Ｔ１）、記録情報はデマルチプレクサ１２からバッファ２０に転送され、順次記録される。デマルチプレクサ１２から出力される情報の転送速度（単位時間当たりに転送される情報量）は、情報の種類によって異なるが、約１５〜２５Ｍｂｐｓ程度である。これに対して、バッファ２０に記録可能な転送速度は数千Ｍｂｐｓと充分大きい。バッファ２０に入力された情報は、リアルタイムでバッファ２０に記録されていく。
【００２６】
よって、記録開始時はバッファ２０に入力された記録情報量だけ、バッファ２０の使用量が増加する（ΔＴ１２）。
【００２７】
ストレージ装置４に記録可能な転送速度も約６００Ｍｂｐｓと、マルチプレクサ１２から出力される情報の転送速度、すなわちバッファ２０に記録される転送速度よりも充分大きい。そこで、ストレージ装置４においては、情報を常時記録するのではなく、バッファ４の使用量が所定量Ｂａに達したとき（Ｔ２）に、バッファ２０からの情報をストレージ装置４に記録（転送）開始するようにしている。よって、図に示すように、ストレージ装置４が記録している間は、バッファ２０に記録される情報量よりもストレージ装置４に記録される情報量の方が大きいため、バッファ２０の使用量は減少していく（ΔＴ２３）。さらに、バッファ２０の使用量が所定値（Ｂｃ）まで減少したとき（Ｔ３）、ストレージ装置４は記録を中断するようにしている。この動作は、録画が継続している間、繰り返される。
【００２８】
録画機能を停止すると（Ｔ４）、バッファ２０に新たな記録情報は入力されないため、その時点でバッファに記録された情報を全てストレージ装置４に書き込むようにする。よって、バッファ２０の使用量は減少し、バッファ２０の使用量がゼロになった時点（Ｔ５）で、ストレージ装置４の記録を終了する。
【００２９】
以上のように、録画のみの場合は、バッファ２０の使用量は、最大バッファ容量Ｂｂに至ることはない。すなわち、デマルチプレクサ１２から出力される情報（バッファ２０に入力される情報）はすべてストレージ装置４に記録することが可能となる。
【００３０】
次に、同時録画の場合の、バッファ２０の使用状態の例について説明する。図５は、同時録画を行った場合のバッファ使用状態を示す図である。録画機能と同時に視聴機能も使用していることにより、スピーカ１８から音声が出力されている。よって、スピーカ１８の振動が筐体を通じてストレージ装置４に伝播されることになる。
【００３１】
視聴と録画を開始する（Ｔ６）と、記録情報が、デマルチプレクサ１２からバッファ２０に順次記録される。バッファ２０の使用量がＢａに達したとき（Ｔ７）、ストレージ装置４に記録を開始する。しかし、スピーカ１８が出力する音声が振動となって、ストレージ装置４に伝搬される。この伝搬された振動によって、ストレージ装置４が記録不具合を起こし、正常に記録できない場合がある。このとき、ストレージ装置４は、記録できなかった情報の再記録を行う。これにより、バッファ２０からストレージ装置４に情報を書き込む量が少なり、デマルチプレクサ１２から出力される転送速度の方が大きくなることがある。この場合、バッファ２０の使用量がさらに増大する（ΔＴ７８）。上記再記録が頻繁に発生すると、バッファ２０の使用量は最大バッファ容量Ｂｂに至る（Ｔ８）ことがある。
【００３２】
バッファ２０の使用量が最大バッファ容量Ｂｂになると、バッファ２０に新たな記録情報を記録することができないため、この間の記録情報は欠落してしまう。スピーカ１８から伝搬する振動が減少し、ストレージ装置２１の記録が正常に行えるようになると、図に示すように、バッファ２０の使用量は減少していく。録画停止（Ｔ９）以降は、継続してバッファ２０に記録された情報を全てストレージ装置４に転送し、ストレージ装置４の記録を停止する（Ｔ１０）。
【００３３】
以上のように、バッファ２０の使用量が最大バッファ使用量Ｂｂを超えた期間の情報は欠落することになる。したがって、当記録映像の再生を行うと、ブロックノイズや、映像の不連続などの不具合が発生する。
【００３４】
そこで本発明の映像表示装置１では、不具合防止部２２を設けている。スピーカ１８からの音声出力に起因して、バッファ２０の使用量が増大した場合、バッファ２０の使用量が最大バッファ容量Ｂｂに至る前に、不具合防止部２２でスピーカ１８の出力音量を低減する指令を出す。これにより、ストレージ装置４に伝播される強制振動は低減されるため、デマルチプレクサ１２から出力される転送速度よりストレージ装置に記録される転送速度が速くなる。よって、バッファ２０の使用量が減少して、録画の不具合を防ぐことが可能となる。
【００３５】
同時録画時における、録画の不具合対策を行った場合の、スピーカ音量とバッファ使用状態の例について説明する。図６は、同時録画の場合に、不具合防止部２２を用いたスピーカ音量の制御例と、このときのバッファ２０の使用状態を示す。
【００３６】
視聴と録画を開始する（Ｔ１１）と、記録情報が、デマルチプレクサ１２からバッファ２０に順次記録される。バッファ２０の使用量がＢａに達したとき（Ｔ１２）、ストレージ装置４に記録を開始する。しかし、スピーカ１８が出力する音声が振動となって、ストレージ装置４に伝搬されることで、ストレージ装置４に入力される転送速度より、デマルチプレクサ１２から出力される転送速度の方が大きくなることがある。この場合、バッファ２０の使用量がさらに増大し、バッファ２０の使用量が最大バッファ容量（Ｂｂ）に達した場合、録画の不具合が発生する。
【００３７】
そこで、バッファ２０の使用量が、最大バッファ容量（Ｂｂ）より低い所定量Ｂｔに至った場合（Ｔ１３）、所定音量値Ｖｔまでスピーカ音量値を低減する（Ｔ１３〜Ｔ１４、所定時間ΔＴｔ）。これにより、スピーカ１８が出力する音声による、ストレージ装置４に伝搬される振動が小さくなることで、ストレージ装置４に記録する転送速度が速くなる。そのため、バッファ２０の使用量が減少する。
【００３８】
ここで、所定音量値Ｖｔは、ストレージ装置４に伝搬される振動が、正常に記録される程度に小さくなる値である。所定時間ΔＴｔは、ストレージ装置４が正常に書き込むことが可能な状態において、バッファ２０に記録されているデータを、全てストレージ装置４に書き込むことが出来る時間より大きく設定している。
【００３９】
例えば、最大バッファ容量Ｂｂが１５ＭＢｙｔｅ、バッファ２０からストレージ装置４に記録情報を転送する速度が６００Ｍｂｐｓとする。バッファ使用量が最大バッファ容量の１５ＭＢｙｔｅであるとき、全てをストレージ装置４に記録するために要する時間は、０．２秒である。このとき、所定時間ΔＴｔは０．２秒より大きく設定（例えば０．３秒）する。
【００４０】
その後、スピーカ出力音量を視聴者が設定していたスピーカ音量に戻す（Ｔ１４）。録画停止（Ｔ１５）以降は、継続してバッファ２０に記録された情報を全てストレージ装置４に転送し、ストレージ装置４の記録を停止する（Ｔ１６）。
【００４１】
本発明は録画機能が動作している間に繰り返して行われ、録画機能停止の指令を受けるまで行う。つまり、バッファ２０の使用量が、最大バッファ容量Ｂｂに達することがないために、録画の不具合は発生しない。
【００４２】
また、本形態はバッファの使用量を基にスピーカ音量を低減する制御を行うことで、スピーカ音声と音量のうち不具合に対して耐振動性が強い周波数と弱い周波数を考慮している。このため、従来の技術のように必要以上にスピーカ音量を低減することがなく、スピーカ音量を低減する時間は短い。
【００４３】
最後に、上記スピーカ出力音量の制御手順について説明する。図７は、本発明における不具合防止部２２の動作を示すフローチャートを示す。
【００４４】
最初に、録画を開始しているかを検出する（Ｓ１０１）。録画をしていない場合は、本処理を終了する。録画を開始している場合は、不具合防止部２２のバッファ使用量検出・判定部２３にて、バッファ２０の使用量を検出する（Ｓ１０３）。バッファ２０の使用量が、所定量Ｂｔより低い場合は、Ｓ１０１の録画を開始しているかを検出する処理に戻る。
【００４５】
同時録画の場合、スピーカ１８が出力する音声に起因して、バッファ２０の使用量が増加する場合がある。Ｓ１０３にて、バッファ２０の使用量が所定量Ｂｔより高いと判定された場合は、スピーカ出力音声制御部２４からサウンドコントローラ１５に、ある所定音量値Ｖｔまでスピーカ音量値を低減する指令を出す（Ｓ１０５）。
【００４６】
所定時間ΔＴｔだけスピーカ１８の音量値を低減した後、スピーカ出力音量を、視聴者が設定していたスピーカ音量に戻す（Ｓ１０７）。その後、Ｓ１０１の録画を開始しているかを検出する処理に戻り、処理を繰り返す。
【００４７】
以上、バッファ使用量を基にストレージ装置４の動作環境を判断し、不具合を防止するために、スピーカ音量を低減する制御手法である。
【００４８】
なお、本発明は録画機能が動作している間に繰り返して行われ、録画機能停止の指令を受けるまで行う。
【００４９】
このように、本形態はバッファの使用量を基にスピーカ音量を低減する制御を行うことで、スピーカ音声と音量のうち不具合に対して耐振動性が強い周波数と弱い周波数を考慮したり、ストレージ装置自身のばらつきや防振部材の経年劣化まで考慮したスピーカの音量制御が可能となる。よって、必要以上にスピーカ音量を低減することがない。
【００５０】
また、本形態はソフトによる対策であるため、新たに部品を追加する必要がなく、コストの増加はない。
【符号の説明】
【００５１】
１  映像表示装置
２  パネル
３  化粧カバー
４  ストレージ装置
５  脚部
６  ベース
７  シャシ
８  ストレージケース
９  スピーカ
１０  チューナー
１１  信号処理部
１２  デマルチプレクサ
１３  ＭＰＥＧデコーダ
１４  グラフィックコントローラ
１５  サウンドコントローラ
１６  表示部
１８  スピーカ
１９  記録再生部
２０  バッファ
２２  不具合防止部
２３  バッファ使用量検出・判定部
２４  スピーカ出力音声制御部
【図１】
2011159359.tif 000003
【図２】
2011159359.tif 000004
【図３】
2011159359.tif 000005
【図４】
2011159359.tif 000006
【図５】
2011159359.tif 000007
【図６】
2011159359.tif 000008
【図７】
2011159359.tif 000009